(57)【特許請求の範囲】
【請求項１】
ドラム胴本体の開口端部にドラムヘッドをヘッド支持緊張手段によって張設したドラムにおいて、
ピン状に形成されて先端部に係合部を有し、前記ドラム胴本体の周面に貫通して取付けられたラグ固定用部材と、
締めボルトの一端を保持するラグとを備え、
前記ラグに前記ラグ固定用部材の前記係合部に対応して係合部を設けるとともに、少なくともこの係合部と前記締めボルトが貫通する位置を挟んで対向する位置に壁面を設け、前記係合部どうしの係合によって前記ラグを前記ラグ固定用部材に対して着脱可能に取付けたことを特徴とするドラムのラグ取付構造。
【請求項２】
請求項１記載のドラムのラグ取付構造において、
前記ラグの係合部が山形の突起で、ラグ固定用部材の先端部外周面には前記突起と係合するＶ字状の係合溝が形成されていることを特徴とするドラムのラグ取付構造。
【請求項３】
請求項１または２に記載のドラムのラグ取付構造において、
前記ラグに前記締めボルトが螺合するナットを一体に設けたことを特徴とするドラムのラグ取付構造。
【請求項４】
請求項１または２に記載のドラムのラグ取付構造において、
前記ラグにラグナットの回転を防止する回り止め板を設けたことを特徴とするドラムのラグ取付構造。
【発明の詳細な説明】
【技術分野】
【０００１】
本発明は、バスドラム、スネアドラム、マーティングドラム等に用いられるドラムのラグ取付構造に関する。
【背景技術】
【０００２】
バスドラム、スネアドラム、マーティングドラム等のドラムは、ドラムヘッドを複数個のヘッド支持緊張手段によって支持、緊張し、ドラムヘッドに所定の張力を付与している（例えば、特許文献１参照）。
【特許文献１】特願２００１−１７６３６７号
【０００３】
図１３は従来のスネアドラムを上下反転させて示す外観斜視図、図１４は同ドラムのラグ取付構造を示す断面図で、符号１で示すものは両端開放の円筒体からなるドラム胴本体、２はドラムヘッドで、２ａは表面側ドラムヘッド、２ｂは裏面側ドラムヘッド、３はドラムヘッド２のヘッド支持緊張手段である。
【０００４】
前記ヘッド支持緊張手段３は、ドラム胴本体１に対して締め枠（リム）６を連結手段によって着脱可能に連結し、ドラムヘッド２の張力を可変設定するもので、ドラムヘッド２の外周縁部を保持し、ドラム胴本体１の開口端部外周に嵌装される環状のヘッド枠５と、同じくドラム胴本体１の開口端部外周に嵌装される前記締め枠６と、ドラム胴本体１の外周に複数本のボルト７およびナットによって固定された通称ラグと呼ばれる複数個の固定具（以下、ラグという）８と、締め枠６をドラム胴本体１に連結する複数本の締めボルト９等で構成されている。締めボルト９は、締め枠６のボルト用取付孔１１にワッシャ１２を介して挿通され、ラグ８側に設けたラグナット１３に螺合されている。ラグナット１３は、ラグ８内に組み込まれ、遊動を防止するために圧縮コイルばね１４によって締めボルト９方向に付勢されることにより、ラグ８の内面に押付けられている。
【０００５】
このような構造において、締めボルト９を図示しないチューニングキーによって締め付けて締め枠６をヘッド枠５に押し付けると、ヘッド枠５はラグ８側に移動するため、ドラムヘッド２が径方向に伸張して張力が増大し、ドラムの音色、音高さが調整される。なお、１５は裏面側ドラムヘッド２ｂに設けられたスナッピー（響線）である。
【発明の開示】
【発明が解決しようとする課題】
【０００６】
上記した従来のスネアドラム１６においては、ラグ８をドラム胴本体１の外周にボルト７によって固定し、ラグナット１３をラグ８内に抜け出ないように収納しているため、ドラムヘッド２を他のドラムヘッドと交換するときには、締めボルト９を緩めてラグナット１３から外し、締め枠６およびヘッド枠５をドラム胴本体１から取り外す必要があった。したがって、締めボルト９のラグナット１３からの取外し作業が煩わしく、時間を要するという問題があった。
また、新たなドラムヘッド２を装着するときは、ヘッド枠５と締め枠６をドラム胴本体１に嵌装した後、締めボルト９をラグナット１３に螺合して締め枠６をヘッド枠５に押し付けなければならず、締めボルト９のラグナット１３へのねじ込み作業も煩雑である。
【０００７】
そこで、このような問題を解決するために、例えば図１５に示すようなラグナットの係止構造が提案されている。このラグナット係止構造は、本体２１Ａ、爪部２１Ｂおよび溝２１Ｃを有するクランプ部材２１を上記したラグ８の代わりにドラム胴本体１の外周にねじ止め固定し、ラグナット１３を棒状に形成して長手方向中央に径方向に貫通するねじ孔２２を形成し、このねじ孔２２に締めボルト９を螺合し、前記クランプ部材２０の爪部２１Ｂにラグナット１３を係合し、締めボルト９を前記溝２１Ｃに挿入するようにしている。
【０００８】
このような構造においては、締めボルト９を緩み方向に回転させてラグナット１３を締めボルト９の先端側に外れない範囲内で移動させると、ラグナット１３を爪部２１Ｂから離脱させることができるため、締めボルト９をラグナット１３から抜き取ることなくドラムヘッドを交換することができる。
【０００９】
しかしながら、図１５に示したラグナット取付構造は、図１３および図１４に示したラグ８と同様にクランプ部材２１のドラム胴本体１に接触する面積が大きく、ドラム胴本体１自体の振動を妨げるという問題があった。
また、締めボルト９を緩めた後締め枠との連結部を回動支点として図１５の矢印Ａ方向に回動させてラグナット１３を爪部２１Ｂから離脱させても、締めボルト９が元の位置に回動復帰するとラグナット１３が爪部２１Ｂの下に入り込んで再び引っ掛かるおそれがある。このためドラムヘッド２を交換するときは、緩めてクランプ部材２１から外した締めボルト９を手で元の位置に戻らないように押さえておきながら締め枠をドラム胴本体から外す必要があるが、ドラム胴本体１の外周に等間隔をおいて設けている全ての締めボルト９を手で押さえておくことは困難である。したがって、図１３および図１４に示したラグの取付構造と同様にドラムヘッド２の交換作業が煩わしく、依然として改良の余地があった。
【００１０】
本発明は上記した従来の問題を解決するためになされたもので、その目的とするところは、ドラムヘッドの交換作業を迅速に行うことができるようにしたドラムのラグ取付構造を提供することにある。
また、本発明は、ラグがドラム胴本体の振動を妨げないようにしたドラムのラグ取付構造を提供することにある。
【課題を解決するための手段】
【００１１】
第１の発明は、ドラム胴本体の開口端部にドラムヘッドをヘッド支持緊張手段によって張設したドラムにおいて、ピン状に形成されて先端部に係合部を有し、前記ドラム胴本体の周面に貫通して取付けられたラグ固定用部材と、締めボルトの一端を保持するラグとを備え、前記ラグに前記ラグ固定用部材の前記係合部に対応して係合部を設けるとともに、少なくともこの係合部と前記締めボルトが貫通する位置を挟んで対向する位置に壁面を設け、前記係合部どうしの係合によって前記ラグを前記ラグ固定用部材に対して着脱可能に取付けたものである。
【００１２】
第２の発明は、前記第１の発明において、前記ラグの係合部が山形の突起で、ラグ固定用部材の前端部外周面には前記突起と係合するＶ字状の係合溝が形成されているものである。
【００１３】
第３の発明は、前記第１または第２の発明において、前記ラグに前記締めボルトが螺合するナットを一体に設けたものである。
【００１４】
第４の発明は、前記第１または第２の発明において、前記ラグにラグナットの回転を防止する回り止め板を設けたものである。
【発明の効果】
【００１５】
第１の発明においては、係合部または係合部材がラグ固定用部材に係合することでラグをドラム胴本体の外周に固定することができ、係合を解除するとラグをドラム胴本体から離脱させることができるので、ドラムヘッドの交換時に締めボルトをラグから外す必要がなく、ドラムヘッドの交換作業を容易かつ迅速に行うことができる。
また、ラグ固定用部材と係合部との係合を解除してラグをドラム胴本体から外した後、ラグを裏返しにしておくと、締めボルトが元の位置に回動復帰してラグがラグ固定用部材に当たったとしても、壁面があるのでラグ固定用部材と係合部とが再び係合するようなことがないので、締めボルトを元の位置に戻らないように手で押さえておく必要がなく、ドラムヘッドの交換作業を一層容易に行うことができる。
また、ラグ固定用部材はピン状に形成されているので、ラグに比べて十分に小さくできる。
【００１６】
第２の発明においては、ラグ固定用部材にラグに設けた山形の突起とラグ固定用部材に設けたＶ字状の係合溝との係合によってラグをドラム胴本体の外周に固定することができる。
【００１７】
第３の発明においては、別部品からなるナットを必要としないため、部品点数を削減することができる。また、脱落して紛失したりすることもない。
【００１８】
第４の発明においては、回り止め板がラグナットの回転を防止する。
【発明を実施するための最良の形態】
【００１９】
以下、本発明を図面に示す実施の形態に基づいて詳細に説明する。
図１は本発明に係るドラムのラグ取付構造の第１の実施の形態を示す断面図、図２は同ラグ取付構造の斜視図、図３は締めボルトを緩めたときの状態を示す断面図、図４はラグをドラム胴本体から外した状態を示す断面図、図５はラグを裏返しにした状態を示す断面図である。なお、従来技術において示した構成部材と同一のものについては同一符号をもって示し、その説明を適宜省略する。
【００２０】
本発明に係るラグ取付構造は、ドラム胴本体１の外周に突設したラグ固定用部材３０とラグ８側に設けた係合部３１との係合によってラグ８をドラム胴本体１の外周に着脱可能に固定するように構成したものである。
【００２１】
前記ラグ固定用部材３０は、断面円形のピン状に形成された本体３０Ａと、この本体３０Ａの先端部外周面に所定の間隔をおいて一体に突設された２つの鍔部３０Ｂ，３０Ｃとからなり、本体３０Ａの基端面にはねじ孔３２が形成されている。２つの鍔部３２Ａ，３２Ｂは、前記ラグ８の前後方向の移動を規制するもので、前記ラグ８の背面板８Ｄの板厚より若干大きな間隔を有している。また、ドラム胴本体１の外周面に接する鍔部３０Ｂは、先端側に位置する鍔部３０Ｃより若干大きな外径を有し、前記ラグ８をドラム胴本体１の外周面から離間させる間隔設定部としての機能をも有している。一方、先端側の鍔部３０Ｃは、前記係合部３１からラグ用固定部材３０が抜けるのを防止する抜け防止部を形成している。
【００２２】
このようなラグ固定用部材３０は、前記ドラム胴本体１の周面に形成した取付孔３３にドラム胴本体１の外側から挿入されて間隔設定部３０Ｂがドラム胴本体１の外周面に密接され、ドラム胴本体１の内側からボルト７がねじ孔３２に螺合されることによりドラム胴本体１に対して固定されている。
【００２３】
前記ラグ８は、上面板８Ａ、傾斜した底板８Ｂ、半円筒形（またはＵ字形）の前面兼側面板８Ｃおよび前記背面板８Ｄとで中空体に形成され、内部に締めボルト９が螺合するラグナット１３と、このラグナット１３を上方に付勢する圧縮コイルばね１４が収納されている。ラグナット１３は回転止めされて収納され、先端部が前記上面板８Ａに形成したナット用孔３４より外部に突出している。前記背面板８Ｄは、ドラム胴本体１の外周面と略同一の曲率をもって円弧状に湾曲しており、中央に前記係合部３１が形成されている。なお、上面板８Ａ，底板８Ｂおよび前面兼側面板８Ｃは一体に形成され、これらに対して背面板８Ｄが溶接等によって接合されている。また、前面兼側面板８Ｃは、請求項１における壁面、すなわちラグ８の前記係合部３１と前記締めボルト９が貫通する位置を挟んで対向する位置に設けられた壁面を形成している。
【００２４】
前記係合部３１は、鍵穴形状に形成されることにより、大径穴部３１Ａと、上端が前記大径穴部３１Ａの下端に連通する長孔部３１Ｂとで構成されている。大径穴部３１Ａは、前記ラグ固定用部材３０の先端側の鍔部３０Ｃの挿入を可能にするため当該鍔部３０Ｃの外径より若干大きく、内側の鍔３０Ｂの外径より小さい穴径を有している。長孔部３１Ｂは、大径穴部３１Ａの穴径より溝幅が狭く、かつ前記ラグ固定用部材３０の本体３０Ａの外径より若干大きな溝幅を有し、大径穴部３１Ａの下方に延在している。
【００２５】
このようなラグ８のドラム胴本体１への取付けに際しては、大径穴部３１Ａに鍔部３０Ｃを挿入し、本体３０Ａの鍔部３０Ｂ，３０Ｃ間の部分３０ａを長孔部３１Ｂ内に挿入する。また、ドラム胴本体１の開口端部外周にヘッド枠５と締め枠６を嵌着する。そして、締めボルト９を締め枠６のボルト用取付孔１１にワッシャ１２を介して挿通し、先端部をラグナット１３に螺合してチューニングキーで締め付けると、締め枠６とラグ８が互いに接近する方向に移動するため、締め枠６がヘッド枠５を押圧してドラムヘッド２の張力を増大させ、長孔部３１Ｂの終端壁３６が前記本体部分３０ａに押し付けられ、もってドラムヘッド２とラグ８がドラム胴本体１に対して取付けられる。ラグ８はドラム胴本体１に取付けられた状態において、ドラム胴本体１と背面板８Ｄとの間にラグ固定用部材３０に設けた間隔設定部３０Ｂが介在されているため、ドラム胴本体１に対して接触することはない。
【００２６】
ドラムヘッド２を別のドラムヘッドと交換するときは、締めボルト９をチューニングキーでラグナット１３から外れない範囲で緩めてラグ８およびラグナット１３を図３に示すように締めボルト９に沿って下方へ移動させ、係合部３１の大径穴部３１Ａと鍔部３０Ｂ，３０Ｃを一致させる。次に、図４に示すようにラグ８がドラム胴本体１から離間する方向に締めボルト９を回動させて、ラグ固定用部材３０を係合部３１から抜き出す。そして、図５に示すようにラグ８を１８０°回転させて裏返しにする。ラグ８を裏返しにしておく理由は、締めボルト９が元の位置に回動復帰したとき、ラグ固定用部材３０の鍔部３０Ｂ，３０Ｃが係合部３１の大径穴部３１Ａに再び係入するのを防止するためである。
【００２７】
このような構造からなるラグ８の取付構造においては、ラグ固定用部材３０と係合部３１との係合によってラグ８をドラム胴本体１に対して着脱自在に取付け、締めボルト９を一定量緩み方向に回転させてラグ固定用部材３０の鍔３０Ｂ，３０Ｃと係合部３１の大径穴部３１Ａとを一致させ、ラグ８をドラム胴本体１から離間する方向に回動させることにより、ラグ固定用部材３０と係合部３１との係合を解除するように構成したので、ドラムヘッド２の交換時に締めボルト９をラグナット１３から完全に外す必要がなく、ドラムヘッド２の交換作業が容易である。
【００２８】
また、ラグ固定用部材３０は、ピン状でラグ８に比べて十分に小さく、しかもラグ固定用部材３０に設けた間隔設定部３０Ｂをドラム胴本体１とラグ８との間に介在させているので、ラグ８がドラム胴本体１に対して直接接触することがなく、図１３〜図１５に示した従来のラグ取付構造およびラグナット係止構造に比べてドラム胴本体１の振動を妨げることが少なく、音量を増大させることができる。
【００２９】
また、ラグ固定用部材３０と係合部３１との係合を解除してラグ８をドラム胴本体１から外した後、ラグ８を裏返しにしておくと、締めボルト９が元の位置に回動復帰してラグがラグ固定用部材３０に当たったとしても、ラグ固定用部材３０と係合部３１とが再び係合するようなことがないので、締めボルト９を元の位置に戻らないように手で押さえておく必要がなく、ドラムヘッドの交換作業を一層容易に行うことができる。
【００３０】
図６は本発明の第２の実施の形態を示すラグの斜視図である。
この実施の形態は、金属板の折曲加工によってラグ４０を形成したものである。ラグ４０は、上面板４０Ａ、底面板４０Ｂ、前面板４０Ｃおよび背面板４０Ｄとによって左右両側面および背面上部が開放する側面視矩形の箱型に形成され、上面板４０Ａにラグナット１３の上端部が貫通するナット用穴４１を設け、上面板４０Ａと背面板４０Ｄとの間に空間４２を設け、かつ背面板４０Ｄの上縁にＵ字状の溝（係合部）４３を形成している。前面板４０Ｃは、請求項１に記載の壁面、すなわち締めボルト９を挟んでＵ字状溝４３と対向する壁面を形成している。
【００３１】
前記ラグナット１３は上面板４０Ａの下面側に溶接等によって固定されているため、図１に示した圧縮コイルばね１４を必要としない。空間４２と前記Ｕ字状溝４３は、図１に示した大径穴部３１Ａと長孔部３１Ｂに相当し、これら空間４２とＵ字状溝４３とでラグ固定用部材３０に係合可能な係合部４４を形成している。なお、ラグ固定用部材３０は、上記した実施の形態と同一構造である。
【００３２】
このような構造からなるラグ４０においては、金属板の折曲加工によって形成されるものであるため、ラグ４０の製作が容易で製造コストを低減することができる。
【００３３】
図７（ａ）、（ｂ）は本発明の第３の実施の形態を示す断面図および回り止め板の斜視図である。
この実施の形態は、図１に示した圧縮コイルばね１４の代わりに回り止め板４５を用いて締めボルト９の緩みを防止するようにしたものである。回り止め板４５は、プラスチック等によって形成され、先端部中央に前記締めボルト９が螺合するねじ孔４６を有し、基端側に折曲片４５Ａが上方に向かって略垂直に折り曲げられ、この折曲片４５Ａがラグ８の背面上部に設けた取付部４７にビス４８によって固定されている。ラグ８の内部上方には、前記回り止め板４５が載置される仕切板４９が一体に設けられている。なお、その他の構造は上記した第１の実施の形態と略同一である。このような構造においては、圧縮コイルばね１４が不要である。
【００３４】
図８は本発明の第４の実施の形態を示すラグ固定用部材と係合部材の断面図である。
この実施の形態は、ドラム胴本体１の外周にラグ固定用部材５０を突設し、このラグ固定用部材５０の先端面に挿入孔５１を形成するとともに、この挿入孔５１の内周面に環状の係合溝５２を形成している。一方、ラグ８の締めボルト側とは反対側の端部５３に係合部材５４を前記ラグ固定用部材５０に対応して取付けている。
【００３５】
前記係合部材５４は、先端部５６ａが前記ラグ固定用部材５０の挿入孔５１に挿入されるピン状の本体５６を有し、この本体５６の基端側が前記ラグ８の前記端部５３に固定される固定部５６ｂを形成している。前記本体５６の先端部５６ａは、前記挿入孔５１の穴径より若干小さい外径を有し、先端付近の外周には２つのボール５７が前記係合溝５２に対応して出没自在に組み込まれている。このため、本体５６の先端部５６ａには軸線と直交する方向の貫通孔５８が形成されており、この貫通孔５８に前記ボール５７が組み込まれている。貫通孔５８の両端開口部は、ボール５７の外径より若干小さく設定され、ボール５７の抜けを防止している。
【００３６】
前記本体５６には、前記ボール５７を前記係合溝５２に対して係脱させる係脱ピン６０が組み込まれている。係脱ピン６０は、前記本体５６に形成した貫通孔６１に固定部５６ｂ側から抜けを防止されて摺動自在に挿入され、圧縮コイルばね６２によって固定部５６ｂ側に付勢されている。係脱ピン６０の先端部側外周面には、小さな半球状の凹部６３が前記各ボール５７に対応して形成されている。
【００３７】
このような構造において、ラグ固定用部材５０に係合部材５４を連結する場合には、係脱ピン６０を圧縮コイルばね６２に抗して押し込みボール５７と凹部６３を一致させる。この状態で本体５６の先端部５６ａを挿入孔５１に挿入し、ボール５７を係合溝５２と一致させる。次いで、係脱ピン６０の押圧力を解除すると、係脱ピン６０は圧縮コイルばね６２の力により後退してボール５７を凹部６３から退出させ、係合溝５２に係合させる。これによって係合部材５４がラグ固定用部材５０に対して係止される。
【００３８】
係合部材５４をラグ固定用部材５０から抜き出すときは、係脱ピン６０を圧縮コイルばね６２に抗して押し込み、凹部６３をボール５７と一致させ、この状態で係合部材５４を抜き出せばよい。
【００３９】
図９は本発明の第５の実施の形態を示す断面図、図１０（ａ）〜（ｅ）はラグの正面図、背面図、Ａ−Ａ線断面図、Ｂ−Ｂ線断面図およびＣ−Ｃ線断面図、図１１（ａ）〜（ｃ）は回り止め板の平面図、正面図および底面図である。
この実施の形態は、ドラム胴本体１の外周に突設したラグ固定用部材５０にラグ７０を係止し、ラグナット１３の回転を回り止め板７５によって防止するようにしたものである。ラグ固定用部材５０は、ドラム胴本体１に貫通して取付けられ、先端部外周面にＶ字状の係合溝７１が形成されている。ラグ７０は、内部上方に前記回り止め板７５を受け止め支持する仕切板４９が一体に設けられている。仕切板４９は、幅方向中央に締めボルトが挿通されるＵ字状の溝７３が形成されている。一方、ラグ７０の下方には、前後に開放し前記ラグ固定用部材５０の先端部が後方から挿入される開口部７４が設けられている。この開口部７４には、ラグ固定用部材５０の係合溝７１に下方から係合する山形の係合突起７９が一体に突設されている。
【００４０】
前記回り止め板７５は、長孔７６と弾性係合片７７を有し、前記長孔７６にラグナット１３の下端部が挿入されることにより、ラグナット１３の回転を防止している。この場合、ラグナット１３の回転防止は、回り止め板７５の長孔７６が形成されている部分をラグ７０の内形状によって弾性変形（圧縮）させて長孔７６の左右両側壁をラグナット１３に押し付けることに行う。前記弾性係合片７７は、回り止め板７５の前記長孔７６側とは反対側端部に上方に折り曲げ形成された側面視逆Ｌ字型の弾性片からなり、回り止め板７５がラグ７０の上面板７０Ａと前記仕切板４９との間の空間に挿入されると、前記上面板７０Ａの下面に下方から圧接され、これによって回り止め板７５がラグ７０から抜けて脱落するのを防止している。なお、図９において、７８はラグナット１３に嵌着されたＯリングである。
【００４１】
このような構造においても、図７に示した実施の形態と同様な効果が得られることは明らかであろう。
【００４２】
図１２（ａ）〜（ｆ）は本発明の第６の実施の形態を示すラグの正面図、平面図、側面図、背面図、Ｄ−Ｄ線断面図およびＦ−Ｆ線断面図である。
この実施の形態は、ラグ８０の上面板８０Ａを厚肉に形成し、その中央に締めボルトが螺合するねじ孔を形成し、このねじ孔を形成した部分をラグナット８２としたものである。すなわち、本実施の形態はラグ８０とラグナット８２を一体に形成したものである。また、ラグ８０の内部で前記ラグナット８２の下方に左右一対の回り止め用爪８３を一体に設け、これらの爪８３を締めボルトの雄ねじに係合させることにより、締めボルトの緩みを防止するようにしたのである。なお、ラグ８０のその他の構造は図９に示したラグ７０と略同様であり、内部下方にラグ固定用部材５０の係合溝７１に下方から係合する山形の係合突起７９が一体に突設されている。
【００４３】
このような構造においては、ラグ８０にナット８２と回り止め用爪８３を一体に設けているので、別部材からなるラグナットと回り止め板を必要とせず、部品点数を削減することができる。
【００４４】
なお、本発明は上記した実施の形態に限らず種々の変更、変形が可能であり、例えば図２に示した鍵孔形状の孔からなる係合部３１を丸孔形状の孔からなる係合部とすることも可能である。
【図面の簡単な説明】
【００４５】
【図１】本発明に係るドラムのラグ取付構造の第１の実施の形態を示す断面図である。
【図２】同ラグ取付構造の斜視図である。
【図３】締めボルトを緩めたときの状態を示す断面図である。
【図４】ラグをドラム胴本体から外した状態を示す断面図である。
【図５】ラグを裏返しにした状態を示す断面図である。
【図６】本発明の第２の実施の形態を示すラグの斜視図である。
【図７】（ａ）、（ｂ）は本発明の第３の実施の形態を示す断面図および回り止め板の斜視図である。
【図８】本発明の第４の実施の形態を示すラグ固定用部材と係合部材の断面図である。
【図９】本発明の第５の実施の形態を示す断面図である。
【図１０】（ａ）〜（ｅ）はラグの正面図、背面図、Ａ−Ａ線断面図、Ｂ−Ｂ線断面図およびＣ−Ｃ線断面図である。
【図１１】（ａ）〜（ｃ）は回り止め板の平面図、正面図および底面図である。
【図１２】（ａ）〜（ｆ）は本発明の第６の実施の形態を示すラグの正面図、平面図、側面図、背面図、Ｄ−Ｄ線断面図およびＦ−Ｆ線断面図である。
【図１３】従来のスネアドラムを上下反転させて示す外観斜視図である。
【図１４】従来のラグの取付構造を示す断面図である。
【図１５】従来のラグナットの係止構造を示す斜視図である。
【符号の説明】
【００４６】
１…ドラム胴本体、２，２ａ，２ｂ…ドラムヘッド、３…ヘッド支持緊張手段、５…ヘッド枠、６…締め枠、８…ラグ、９…締めボルト、３０…ラグ固定用部材、３０Ａ…本体、３０Ｂ…間隔設定部、３１…係合部、３１Ａ…大径穴部、３１Ｂ…長孔部、４０…ラグ、４２…空間、４３…Ｕ字状溝、４４…係合部、５０…ラグ固定用部材、５１…挿入孔、５２…係合溝、５４…係合部材、５６…本体、５７…ボール、６０…係脱ピン、７０，８０ラグ、７５…回り止め板、８２…ナット。
【図１】
0003707485.tif 000002
【図２】
0003707485.tif 000003
【図３】
0003707485.tif 000004
【図４】
0003707485.tif 000005
【図５】
0003707485.tif 000006
【図６】
0003707485.tif 000007
【図７】
0003707485.tif 000008
【図８】
0003707485.tif 000009
【図９】
0003707485.tif 000010
【図１０】
0003707485.tif 000011
【図１１】
0003707485.tif 000012
【図１２】
0003707485.tif 000013
【図１３】
0003707485.tif 000014
【図１４】
0003707485.tif 000015
【図１５】
0003707485.tif 000016